(57)【特許請求の範囲】
【請求項１】
第１の溶液と第２の溶液とを調合して用いるためのホウ素系化合物溶液であって、
前記第１の溶液は、
八ホウ酸二ナトリウム四水和物    ３〜１５重量％、
水      ８５〜９７重量％
を含有し、
前記第２の溶液は、
八ホウ酸二ナトリウム四水和物  ２０〜５０重量％、
プロピレングリコール      ５０〜８０重量％
を含有し、
前記第１の溶液は６０〜７５重量％、前記第２の溶液は２５〜４０重量％の割合で調合して用いるために別々の容器に保存され、少なくとも前記第２の溶液は内部に気泡のない密封状態でガスバリア対応の前記容器に保存されている
ことを特徴とするホウ素系化合物溶液。
【発明の詳細な説明】
【技術分野】
【０００１】
本発明は、ホウ素系化合物を含有し、例えば、防虫（特に防蟻）、防腐、防カビ、除菌、消臭又は、防炎に用いて好適なホウ素系化合物溶液に関する。
【背景技術】
【０００２】
従来、ホウ素系化合物、すなわち、ホウ酸又はホウ酸塩を高濃度に含有するホウ素系化合物溶液には、以下に示すものがある。第１は、水１００重量％に、ホウ酸のｘ重量％とホウ砂のｙ重量％（但し、ｘ＜３５、ｙ＜４０、０＜ｘ＜ｙ＋５）とを添加して加熱溶解した後、室温まで冷却して得られるホウ素系化合物溶液である（例えば、特許文献１参照。）。以下、この技術を第１の従来例と呼ぶ。
【０００３】
第２は、ホウ酸、メタホウ酸、ポリホウ酸からなる群より選ばれる１種又は２種以上のホウ酸化合物とアルコキシシラン化合物と加水分解可能な有機金属化合物とが有機溶剤存在下で反応して金属−酸素−ホウ素−酸素−ケイ素結合を生成してホウ酸化合物がホウ酸換算で１３．６重量％以上溶解しているホウ素系化合物溶液である（例えば、特許文献２参照。）。以下、この技術を第２の従来例と呼ぶ。
【先行技術文献】
【特許文献】
【０００４】
【特許文献１】特許第４４３９２３４号公報（請求項１）
【特許文献２】特許第５４３３２８７号公報（請求項４）
【発明の概要】
【発明が解決しようとする課題】
【０００５】
木材に難燃性を付与するためには、第１の従来例に係るホウ素系化合物溶液に木材を２４時間含浸させる必要がある（特許文献１の段落００３６参照）。このため、この処理方法は手間暇がかかるとともに、当然ながら既に組み立てられた木造家屋を構成する木材にこの処理方法で難燃性を付与することはできない。
【０００６】
ところで、ホウ素系化合物溶液は、木材に難燃性を付与する機能の他、木材に防虫（特に防蟻）性、防腐性、防カビ性を付与したり、家庭の身の回りの品に噴霧して除菌、消臭したりする機能も有している。このうち、木材に防蟻性を付与するには木材に１３重量％以上（シロアリの場合）のホウ素系化合物を導入する必要がある。ところが、第１の従来例に係るホウ素系化合物溶液に木材を含浸させても、木材に１０重量％強のホウ素系化合物を導入できるに過ぎない（特許文献１の段落００３８参照）。したがって、第１の従来例に係るホウ素系化合物溶液は、木材に難燃性を付与することはできても、防蟻性を付与するには不十分であると思われる。
【０００７】
また、特許文献１には、第１の従来例に係るホウ素系化合物溶液が高濃度のままどのくらいの期間安定した状態で保存できるかについては何ら記載がない。
【０００８】
一方、第２の従来例に係るホウ素系化合物溶液は、ホウ素系化合物がホウ酸換算で１３．６重量％以上溶解しているので、木材に防蟻性を付与することができる。また、特許文献２には、第２の従来例に係るホウ素系化合物溶液を室温で２４時間以上放置していても均一溶液のままであって、個体の析出やゲル化などの現象は生じなかったことが記載されている（特許文献２の段落００６４参照）。しかし、特許文献２には、第２の従来例に係るホウ素系化合物溶液を２４時間を超えたどの程度の長期間（例えば、１ヶ月間）まで安定した状態で保存できるか否かについては記載がない。
【０００９】
本発明は、上述した事情に鑑みてなされたものであり、上述のような問題を解決することを課題の一例とするものであり、これらの課題を解決することができるホウ素系化合物溶液を提供することを目的とする。
【課題を解決するための手段】
【００１０】
上記課題を解決するために、請求項１に記載の発明は、第１の溶液と第２の溶液とを調合して用いるためのホウ素系化合物溶液に係り、前記第１の溶液は、八ホウ酸二ナトリウム四水和物３〜１５重量％、水８５〜９７重量％を含有し、前記第２の溶液は、八ホウ酸二ナトリウム四水和物２０〜５０重量％、プロピレングリコール５０〜８０重量％を含有し、前記第１の溶液は６０〜７５重量％、前記第２の溶液は２５〜４０重量％の割合で調合して用いるために別々の容器に保存され、少なくとも前記第２の溶液は内部に気泡のない密封状態でガスバリア対応の前記容器に保存されていることを特徴としている。
【発明の効果】
【００１５】
本発明によれば、木材に防蟻性を付与することができるほど高濃度のホウ素系化合物を含有するホウ素系化合物溶液を長期間安定した状態で保存することができる。
【発明を実施するための形態】
【００１６】
本発明は、木材に防蟻性を付与することができるほど高濃度のホウ素系化合物を含有し、長期間安定した状態で保存することができるホウ素系化合物溶液を提供することを目的とする。本発明者らは、この目的を達成するために鋭意検討した結果、本発明を完成した。
【００１７】
本発明者らは、当初、第１の従来例及び第２の従来例と同様、１種類のホウ素系化合物溶液だけで前記目的を達成することを試みたが、実現できなかった。すなわち、ホウ素系化合物は、表１に示すように、水に対する溶解度が水温によってほぼ定まっており、高温の水に溶解させても水温が下がればホウ素系化合物が析出（再結晶化）やゲル化してしまう。
【００１８】
表１は、オルトホウ酸（Ｈ３ＢＯ３）、ホウ砂（四ホウ酸ナトリウム十水和物：Ｎａ２Ｂ４Ｏ７・１０Ｈ２Ｏ）及び八ホウ酸二ナトリウム四水和物（ＤＯＴ：Disodium Octaborate Tetrahydrate，Ｎａ２Ｂ８Ｏ１３・４Ｈ２Ｏ）（以下「ＤＯＴ」と略する。）の水に対する各水温における溶解度（水１００ｇに対する溶解量ｇ）の例である。
【００１９】
【表１】
0006661078.tif 000002
【００２０】
その後、本発明者らは、ホウ素系化合物溶液は、保存時や流通時に状態が安定であることが重要であるが、使用時に高濃度にホウ素系化合物を含有した状態になれば良いという着想を得るに至った。
【００２１】
つまり、単独であれば常温でいずれも状態が安定した２種類のホウ素系化合物溶液を別々に保存及び流通させ、これらを使用時に調合して高濃度にホウ素系化合物を含有したホウ素系化合物溶液を作製するのである。
【００２２】
さらに、２種類のホウ素系化合物溶液のうち、低濃度のホウ素系化合物を含有するホウ素系化合物溶液は、防蟻用には不十分であるが、それ以外の用途、例えば、防炎用、防蟻以外の防虫用、防腐用、防カビ用、除菌用、消臭用には十分に使用することができる。このため、これら２種類のホウ素系化合物溶液を組み合わせることにより、用途が広範囲となる。
【００２３】
以下、本発明を実施するための形態について詳細に説明する。
本発明に係るホウ素系化合物溶液は、第１の溶液と、第２の溶液とを有している。防炎用、防蟻以外の防虫用、防腐用、防カビ用、除菌用、消臭用には、第１の溶液を単独で用い、防蟻用には、第１の溶液と第２の溶液とを調合して用いる。
【００２４】
（有効成分）
本実施の形態では、第１の溶液及び第２の溶液の有効成分として、ホウ素系化合物、すなわち、ホウ酸、ホウ酸塩を用いる。ホウ酸としては、例えば、無水ホウ酸（Ｂ２Ｏ３）、メタホウ酸（ＨＢＯ２）、オルトホウ酸（Ｈ３ＢＯ３）、四ホウ酸（Ｈ２Ｂ４Ｏ７）が挙げられる。
【００２５】
一方、ホウ酸塩としては、例えば、メタホウ酸ナトリウム無水物（ＮａＢＯ２）、メタホウ酸ナトリウム四水和物（ＮａＢＯ２・４Ｈ２Ｏ）、四ホウ酸ナトリウム無水物（Ｎａ２Ｂ４Ｏ７）、四ホウ酸ナトリウム五水和物（Ｎａ２Ｂ４Ｏ７・５Ｈ２Ｏ）、四ホウ酸ナトリウム八水和物（Ｎａ２Ｂ４Ｏ７・８Ｈ２Ｏ）、ＤＯＴ（Ｎａ２Ｂ８Ｏ１３・４Ｈ２Ｏ）、ホウ酸マグネシウム（Ｂ２ＭｇＯ４）、ホウ酸マグネシウム水和物（２ＭｇＯ・３Ｂ２Ｏ３・ｎＨ２Ｏ）、ホウ酸アンモニウム八水和物［（ＮＨ４）２Ｏ・５Ｂ２Ｏ３・８Ｈ２Ｏ］、四ホウ酸アンモニウム四水和物［（ＮＨ４）２Ｂ４Ｏ７・４Ｈ２Ｏ］、四ホウ酸二カリウム四水和物（Ｋ２Ｂ４Ｏ７・４Ｈ２Ｏ）、四ホウ酸リチウム五水和物（Ｌｉ２Ｂ４Ｏ７・５Ｈ２Ｏ）、ホウ酸亜鉛（２ＺｎＯ・３Ｂ２Ｏ３・３．５Ｈ２Ｏ）が挙げられる。
【００２６】
有効成分として、好ましくは、ＤＯＴである。これは以下に示す理由による。
（１）ＤＯＴは、化学的に安定しているので、効果に経年劣化がない。
（２）ＤＯＴは、ホウ素含有率（ホウ素量／分子量）がオルトホウ酸の１．１９倍と高い。
（３）ＤＯＴは、２０℃における水に対する溶解度が９．７％であって、オルトホウ酸（４．９％）よりも高い（表１参照）。
【００２７】
（４）ＤＯＴは、高濃度の処理溶液（ホウ酸換算濃度２４％ＢＡＥ（Boric Acid Equivalent））を作ることができる。
（５）ＤＯＴは、シロアリの体液に溶け込みやすく、効果が高い。
（６）ＤＯＴは、哺乳動物に安全である。
【００２８】
本実施の形態では、有効成分の含有量は、第１の溶液と第２の溶液とで異なる。
＜第１の溶液＞
有効成分の含有量は、特に限定されるものではないが、第１の溶液中３〜１５重量％であることが好ましい。有効成分の含有量が３重量％未満では、濃度が低いために効果が不十分となる。
【００２９】
一方、有効成分の含有量が１５重量％を超えた場合は、例えば、防炎効果が飽和することに加え、保存中及び流通中に有効成分の一部が再結晶化やゲル化することにより濃度が低下して効果が不十分となるからである。有効成分の含有量は、さらに好ましくは５〜１２重量％である。
【００３０】
＜第２の溶液＞
有効成分の含有量は、特に限定されるものではないが、第２の溶液中２０〜５０重量％であることが好ましい。有効成分の含有量が２０重量％未満では、第１の溶液と調合しても全体の濃度が低いために防蟻効果が不十分となる。また、有効成分の含有量が２０重量％未満では、第１の溶液と調合する際に所望の濃度にするのに多くの量が必要となり、単価及び流通費が高くなるとともに、１製品当たりの容積が大きくなり、広い保存場所が必要となる。
【００３１】
一方、有効成分の含有量が５０重量％を超えた場合は、防蟻効果が飽和することに加え、第１の溶液と調合し難くなり、均一化するために設備（例えば、加熱撹拌機）が必要となる。気温が低い場合には第２の溶液の粘度が上がるため、この不都合は顕著となる。有効成分の含有量は、さらに好ましくは２５〜４０重量％である。
【００３２】
（溶媒）
本実施の形態では、溶媒は、第１の溶液と第２の溶液とで異なる。
＜第１の溶液＞
第１の溶液の溶媒は、水（Ｈ２Ｏ）が好ましい。溶媒の含有量は、第１の溶液中８５〜９７重量％であり、好ましくは８８〜９５重量％である。
【００３３】
＜第２の溶液＞
第２の溶液の溶媒は、グリコール、多価アルコール又は塩からなる群より選択される少なくとも１種が好ましい。これらのものとしては、例えば、ソルビット、エリスリトール、キシリット、マルチトール、エチレングリコール、ジエチレングリコール、トリエチレングリコール、テトラエチレングリコール、ポリエチレングリコール、プロピレングリコール、ジプロピレングリコール、トリプロピレングリコール、テトラプロピレングリコール、ポリプロピレングリコール、１，３−ブチレングリコール、グリセリン、ジグリセリン、Ｄ・マンニトールが挙げられる。さらに、それらの混合物からなる群より選択される少なくとも１種を含んでいても良い。
【００３４】
第２の溶液の溶媒として、好ましくは、プロピレングリコールである。これは以下に示す理由による。
（１）プロピレングリコールは、溶解したホウ素系化合物が広い温度範囲で再結晶化やゲル化しないため、ホウ素系化合物が高濃度のまま溶解した状態を維持することができる。
（２）プロピレングリコールは、吸湿剤として使用されるほど水への溶解度が高い。
【００３５】
（３）プロピレングリコールは、沸点が１８８．２℃と高いため、通常の使用環境では揮発せず、作業性が良い。
（４）プロピレングリコールは、融点が−５９℃と低く、通常の使用環境では凍結しない。
（５）プロピレングリコールは、食品や医薬品に用いられ、例えば、エチレングリコールと比較して毒性が低く、安全である。
【００３６】
溶媒の含有量は、特に限定されるものではないが、第２の溶液中５０〜８０重量％であり、好ましくは６０〜７５重量％である。
【００３７】
本実施の形態では、必要に応じて、本発明の効果を損なわない範囲で上記した成分以外に、粘着付与剤、着色剤、粘度調整剤、定着向上剤、界面活性剤、分散剤、防カビ剤、抗菌剤などの添加剤を添加することができる。
【００３８】
（粘着付与剤）
本実施の形態では、粘着付与剤は、例えば、第１の溶液及び第２の溶液中で有効成分同士が結合して再結晶化することを防止したり、対象物から第１の溶液及び第２の溶液が垂れることを防止したりするために配合される。粘着付与剤としては、例えば、増粘多糖類、高分子ポリマー、天然樹脂のロジン、水素添加ロジンのメチルエステル、水素添加ロジンのトリエチレングリコールエステルなどのロジン誘導体、脂肪族系炭化水素樹脂、脂環族系炭化水素樹脂、テルペン系樹脂、プロピレン樹脂、ポリブテン樹脂、ブタジエン樹脂、ポリイソプレン樹脂、エチレン・プロピレン非結晶共重合体、クマロン−インデン樹脂、低分子量ブチルゴムを用いることができる。
【００３９】
増粘多糖類として、例えば、 ローカストビーンガム、カラギーナン、グアガム、キサンタンガムが挙げられる。高分子ポリマーとして、例えば、カルボキシメチルセルロース、デキストリン類が挙げられる。粘着付与剤として、好ましくは、ポリブテン樹脂である。ポリブテン樹脂は、噴霧又は塗布後に乾燥することにより、その特性（耐水性、絶縁性、可塑性、ガス不透過性など）を発現することができるとともに、環境や人体への影響が懸念される有機溶剤を含んでいない。
【００４０】
粘着付与剤の含有量は、第１の溶液及び第２の溶液中１〜２０重量％であり、好ましくは３〜１５重量％である。この場合、第１の溶液及び第２の溶液の対象物に対する接着性を向上させることができる。これに対し、粘着付与剤の含有量が第１の溶液及び第２の溶液中１重量％未満であれば、第１の溶液及び第２の溶液の接着力が悪化する傾向にある。一方、粘着付与剤の含有量が第１の溶液及び第２の溶液中２０重量％を超えた場合は、噴霧し難くなる、噴霧器が目詰まりし易い、貯蔵安定性が悪化するなどの不具合がある。
【００４１】
（着色剤）
本実施の形態では、着色剤としては、例えば、リグニン、カーボンブラック、酸化チタンを用いることができる。着色剤は、第１の溶液又は第２の溶液のいずれか一方に添加する。このようにすれば、使用者が第１の溶液と第２の溶液とを見分けることができ、誤用を防止することができる。着色剤の含有量は、第１の溶液又は第２の溶液中０．０１〜１０重量％であり、好ましくは０．１〜５．０重量％である。
【００４２】
（粘度調整剤）
本実施の形態では、粘度調整剤は、例えば、第１の溶液及び第２の溶液中で有効成分同士が結合して再結晶化を防止したり、対象物から第１の溶液及び第２の溶液が垂れることを防止したりするために配合される。粘度調整剤としては、例えば、石油炭化水素を用いることができる。石油炭化水素として、例えば、ポリイソブチレン、ポリテルペン、硬化樹脂及び混合オレフィンが挙げられる。粘度調整剤の含有量は、第１の溶液及び第２の溶液中０．５〜５０重量％であり、好ましくは１〜１０重量％である。
【００４３】
（定着向上剤）
本実施の形態では、定着向上剤は、例えば、第１の溶液及び第２の溶液液が対象物（特に、天井面や垂直面）への定着性を向上させるために配合される。定着向上剤としては、例えば、カチオン性澱粉又はカチオン性ポリアクリルアミドを用いることができる。
【００４４】
（界面活性剤）
界面活性剤としては、例えば、アニオン界面活性剤、カチオン界面活性剤、両性界面活性剤又は非イオン界面活性剤を用いることができる。アニオン界面活性剤としては、例えば、脂肪酸セッケン（例えば、ラウリン酸ナトリウム、パルミチン酸ナトリウム）、ラウリル硫酸カリウム、アルキル硫酸トリエタノールアミンエーテル、アシルメチルタウリン塩が挙げられる。
【００４５】
カチオン界面活性剤としては、例えば、塩化ステアリルトリメチルアンモニウム、塩化ベンザルコニウム、ラウリルアミンオキサイドが挙げられる。両性界面活性剤としては、例えば、イミダゾリン系両性界面活性剤（例えば、２−ココイル−２−イミダゾリニウムヒドロキサイド−１−カルボキシエチロキシ２ナトリウム塩）、ベタイン系界面活性剤（例えば、アルキルベタイン、アミドベタイン、スルホベタイン）が挙げられる。
【００４６】
非イオン界面活性剤としては、例えば、ソルビタン脂肪酸エステル類（例えば、ソルビタンモノステアレート、セスキオレイン酸ソルビタン）、グリセリン脂肪酸類（例えば、モノステアリン酸グリセリン）、プロピレングリコール脂肪酸エステル類（例えば、モノステアリン酸プロピレングリコール）、硬化ヒマシ油誘導体、グリセリンアルキルエーテル、ＰＯＥソルビタン脂肪酸エステル類（例えば、ＰＯＥソルビタンモノオレエート、モノステアリン酸ポリオキエチレンソルビタン）、ＰＯＥソルビット脂肪酸エステル類（例えば、ＰＯＥ−ソルビットモノラウレート）、ＰＯＥグリセリン脂肪酸エステル類（例えば、ＰＯＥ−グリセリンモノイソステアレート）、ＰＯＥ脂肪酸エステル類（例えば、ポリエチレングリコールモノオレート、ＰＯＥジステアレート）、ＰＯＥアルキルエーテル類（例えば、ＰＯＥ２−オクチルドデシルエーテル）、ＰＯＥアルキルフェニルエーテル類（例えば、ＰＯＥノニルフェニルエーテル）、プルロニック型類、ＰＯＥ・ＰＯＰアルキルエーテル類（例えば、ＰＯＥ・ＰＯＰ２−デシルテトラデシルエーテル）、テトロニック類、ＰＯＥヒマシ油・硬化ヒマシ油誘導体（例えば、ＰＯＥヒマシ油、ＰＯＥ硬化ヒマシ油）が挙げられる。
【００４７】
（分散剤）
本実施の形態では、分散剤は、界面活性剤の一種であり、有効成分の特に細かい微粒子を溶媒の中に均一に分散させるために配合される。分散剤としては、例えば、スルホン酸塩、リン酸塩、ケイ酸塩、ポリオキシエチレンアルキルエーテルが挙げられる。
【００４８】
（防カビ剤）
本実施の形態では、防カビ剤は、カビが発生しやすい湿潤箇所（例えば、床下）に存在する対象物の防カビ能力を向上させるために配合される。
【００４９】
着色剤、定着向上剤、界面活性剤、分散剤の各機能をいずれも備えたものとして、例えば、リグニンがある。リグニンの含有量は、０．１〜５重量％であることが好ましい。リグニンの含有量が０．１重量％未満では、溶液の色が薄すぎて他の溶液との区別がつかないなど、本来備えている各機能が十分に発揮されない。
【００５０】
一方、リグニンの含有量が５重量％を超えた場合は、ホウ素系化合物溶液の明度が低くなり、対象物及びその周囲にあるものが必要以上に着色されてしまう。また、リグニン自体に接着性があることから、例えば、ホウ素系化合物溶液を対象物に噴霧し難くなる、噴霧器が目詰まりし易い、ホウ素系化合物溶液を噴霧した後の対象物へ塵埃が付着し易いという不都合がある。リグニンの含有量は、さらに好ましくは０．５〜２重量％である。
【００５１】
（第１の溶液の製造方法）
本発明に係る第１の溶液の製造方法は、特に限定するものではないが、例えば、以下に示す方法がある。加熱撹拌機を構成する容器内に所定温度（４０℃以上、好ましくは６０℃以上）の湯を所定量注ぎ入れた後、所定量の有効成分（例えば、ＤＯＴ）を容器内に一度に投入し、５分以上撹拌する。
【００５２】
溶媒である水を６０℃以上に熱した上、有効成分をその中に投入して撹拌するのは、目視では確認できないホウ素系化合物の結晶の粒を完全に溶解させるためである。このようにすれば、第１の溶液が常温まで冷却した際に、溶媒中に残ったホウ素系化合物の結晶の粒が核となって再結晶化することを防止することができる。
【００５３】
（第２の溶液の製造方法）
本発明に係る第２の溶液の製造方法は、特に限定するものではないが、例えば、以下に示す方法がある。加熱撹拌機を構成する容器内に常温の溶媒（例えば、プロピレングリコール）を所定量注ぎ入れた後、まず、有効成分（例えば、ＤＯＴ）を所定量の半分だけ投入し、撹拌する。
【００５４】
次に、容器を加熱して溶液の温度を１８０℃前後まで上昇させつつ、有効成分の残り半分を徐々に投入し、撹拌する。当初溶液は白濁しているが、溶液が透明になった後も、溶液の温度を１８０℃前後に維持しつつ、例えば、５分以上撹拌し続ける。
【００５５】
（第１の溶液及び第２の溶液の保存方法）
第１の溶液と第２の溶液とを後述する所定の割合で使用時に調合可能とするために、それぞれ予め小分けにして容器に保存する。なお、第１の溶液を単独で使用する場合には、対象に噴霧するためのスプレー容器を構成する容器本体に充填するとともに、このスプレー容器内に第１の溶液を補充するための詰め替え用のボトル又はパックに充填して保存しておいても良い。
【００５６】
第１の溶液が充填されたスプレー容器、詰め替え用のボトル又はパックは、市販されている除菌・消臭剤と同様、常温で冷暗所に保存する。これらのスプレー容器、詰め替え用のボトル又はパックの材質及び構造は、市販されている除菌・消臭剤に採用されている容器、ボトル又はパックと同様の材質及び構造で良い。保存期間については特に定めない。
【００５７】
一方、第２の溶液は、容器に充填した後、内部に気泡のない密封状態となるように容器にラミネート加工を施す。このようなラミネート加工を施すのは以下に示す理由による。第２の溶液が空気と接触した場合、ホウ素系化合物の再結晶化が促進され、溶液に溶けているホウ素系化合物の濃度が防蟻機能を発揮できないほどに低下する虞があるからである。ラミネート加工された容器は、一般的な厚手の液体対応品であれば良いが、空気（酸素や窒素）などの気体を通さず、無酸素保存や真空パック保存が可能なガスバリア対応品であることが好ましい。第２の溶液が充填された容器は、常温で冷暗所に保存する。保存期間については特に定めない。第１の溶液及び第２の溶液が充填された容器には、注ぎ口が付いていることが好ましい。
【００５８】
（第１の溶液と第２の溶液との調合）
第１の溶液と第２の溶液とを調合する場合、特に限定されるものではないが、第１の溶液は６０〜７５重量％、第２の溶液は２５〜４０重量％の割合で調合する。第２の溶液が２５重量％未満では、調合後の溶液における有効成分の濃度が低いために防蟻効果が不十分となる。
【００５９】
一方、第２の溶液が４０重量％を超えた場合は、調合後の溶液における有効成分の濃度が高いため防蟻効果が飽和することに加え、１製品当たりの有効成分及び溶媒の量が増えるため製品単価が高くなる。さらに、有効成分の濃度が高いと、使用時に第１の溶液と調合し難くなり、均一化するために設備（例えば、加熱撹拌機）が必要となる。気温が低い場合には第２の溶液の粘度が上がるため、この不都合は顕著となる。好ましくは、第１の溶液は６５〜７２重量％、第２の溶液は２８〜３５重量％の割合で調合する。
【００６０】
使用時において１つの包装単位の第１の溶液と、１つの包装単位の第２の溶液とを調合することにより、調合された全体の溶液における有効成分が所望の濃度となるように、第１の溶液及び第２の溶液をそれぞれ小分けしておくことが好ましい。
【００６１】
このようにすれば、開口した容器に第１の溶液及び第２の溶液を１包装単位ずつ投入して軽く撹拌したり、蓋付きの容器に第１の溶液及び第２の溶液を１包装単位ずつ投入し蓋をした後容器を振動させたりして調合するだけで良い。
【００６２】
第１の溶液と第２の溶液とを調合した状態では数日間も保管することができないため、１回の使用時で調合液を使い切れるように前記１包装単位当たりの量を設定しておく必要がある。例えば、調合液を重量基準で５，０００ｇ（容積；４，６００ｍｌ）とする場合、第１の溶液の１包装単位を３，５００ｇ（７部）とするとともに、第２の溶液の１包装単位を１，５００ｇ（３部）とする。一方、調合液を容積基準で５，０００ｍｌ（重量：約５，５００ｇ）とする場合、第１の溶液の１包装単位を３，６５０ｍｌとするとともに、第２の溶液の１包装単位を１，３５０ｍｌとする。これにより、第１の溶液と第２の溶液とを１包装単位ずつ調合すると、調合液が重量基準の場合５，０００ｇ、容積基準の場合５，０００ｍｌとなる。この結果、歩留まり及び利便性が向上する。
【実施例】
【００６３】
以下、実施例を用いて本発明を説明するが、本発明は以下の実施例に限定されるものではない。なお、以下の実施例における数値の単位は、特に断らない限り「重量％」を表す。
【００６４】
（第１の溶液）
・有効成分：ＤＯＴ  １０重量％
・溶媒：水  ９０重量％
（第２の溶液）
・有効成分：ＤＯＴ  ３４重量％
・溶媒：プロピレングリコール  ６６重量％
（結果）
第１の溶液及び第２の溶液をそれぞれ個別包装し、未開封のまま冷暗所の１つである冷蔵庫（内部温度約４℃）に保存した場合、製造後６０日間経過してもホウ素系化合物が再結晶化することはなかった。
【００６５】
以上説明したように、本発明では、常温で状態が安定しており、長期保存可能な２種類のホウ素系化合物溶液である第１の溶液及び第２の溶液を別々に保存及び流通させ、第１の溶液及び第２の溶液を使用時に調合することにより、高濃度にホウ素系化合物を含有するホウ素系化合物溶液を作製している。したがって、本発明によれば、木材に防蟻性を付与できるほど高濃度のホウ素系化合物を含有するホウ素系化合物溶液を長期間安定した状態で保存することができる。
【００６６】
したがって、使用者は、使用時に、開口した容器に第１の溶液及び第２の溶液を１包装単位ずつ投入して軽く撹拌したり、蓋付きの容器に第１の溶液及び第２の溶液を１包装単位ずつ投入し蓋をした後容器を振動させたりして調合するだけで高濃度にホウ素系化合物を含有するホウ素系化合物溶液を作製することができる。
【００６７】
使用者は、特別な資格がなくも、特別な機器を用いることなく、特別な安全対策をすることなく、このホウ素系化合物溶液を木材に噴霧器で噴霧したり、刷毛で塗布したりするだけで当該木材に防蟻性を付与することができる。
【００６８】
これに対し、ホウ素系化合物が粉体の状態で市販されている場合、使用現場に加熱撹拌機を持ち込み、加熱攪拌機に水と粉体を入れ、加熱しつつ攪拌して所望のホウ素系化合物溶液を調合する必要がある。また、濃度が１５％程度のホウ素系化合物を含有する市販のホウ素系化合物溶液を使用する場合、使用現場の気温が低いと、ホウ素系化合物が再結晶化してしまう。この場合、再結晶化せずに残っている溶液を木材に噴霧又は塗布してもホウ素系化合物の濃度が１５％より低下しているため防蟻性を木材に付与できない。しかし、使用者はホウ素系化合物の濃度が低下していることに気づかない場合があり、作業自体が無駄になってしまう。
【００６９】
グリコール、多価アルコール又は塩からなる群より選択される少なくとも１種がホウ素系化合物の溶媒となり得ることは多数の文献に記載されて公知である（例えば、特開２００８-２０８１０７号公報、特許第４３２３２４４号公報参照）。しかし、これらの文献、前記特許文献１及び２には、第１の溶液及び第２の溶液を調合する本発明については開示も示唆もされていない。
【００７０】
また、本発明によれば、第１の溶液は、防蟻用以外の用途、例えば、防炎用、防蟻以外の防虫用、防腐用、防カビ用、除菌用、消臭用には十分に使用することができる。このことについても、前記文献、前記特許文献１及び２には開示も示唆もされていない。
【要約】
【課題】  高濃度のホウ素系化合物を含有し、長期間安定に保存できるホウ素系化合物溶液を提供する。
【解決手段】  開示されるホウ素系化合物溶液は、第１の溶液と第２の溶液とが調合可能に構成されている。第１の溶液は、ホウ素系化合物を３〜１５重量％、第１の溶媒を８５〜９７重量％含有している。第２の溶液は、ホウ素系化合物を２０〜５０重量％、第２の溶媒を５０〜８０重量％含有している。第１の溶媒は水であり、第２の溶媒は、グリコール、多価アルコール又は塩からなる群より選択される少なくとも１種である。
【選択図】  なし